(57)【要約】【課題】ドレン中和槽を介しての排ガスの漏れによる臭気の発生を確実に防止した潜熱回収型給湯機を提供する。【解決手段】給湯管１６に備えられたフローセンサ２０が流水を検知することで、燃焼を開始する燃焼ハーナ２と、この燃焼バーナ２の燃焼と共に駆動して燃焼空気の給気及び排ガスの排気を行う燃焼ファン３と、この排ガスと熱交換し潜熱回収を行う二次熱交換器１４と、この二次熱交換器１４の熱交換で発生するドレンを収集して中和後に排水管２２より排水するドレン中和槽２１とを備えたもので、前記ドレン中和槽２１に接続した排水管２２には、燃焼ファン３の送風圧を受けて排水管２２を閉成する圧力弁２５を備えたことにより、排ガスのドレン中和槽２１を介しての放出を確実に防止し、臭気の発生を阻止するものである。【選択図】図４
2010169293.tif 000002
【特許請求の範囲】
【請求項１】
給湯管に備えられたフローセンサが流水を検知することで、燃焼を開始する燃焼ハーナと、この燃焼バーナの燃焼と共に駆動して燃焼空気の給気及び排ガスの排気を行う燃焼ファンと、この排ガスと熱交換し潜熱回収を行う二次熱交換器と、この二次熱交換器の熱交換で発生するドレンを収集して中和後に排水管より排水するドレン中和槽とを備えたものに於いて、前記ドレン中和槽に接続した排水管には、燃焼ファンの送風圧を受けて排水管を閉成する圧力弁を備えた事を特徴とする潜熱回収型給湯機。
【発明の詳細な説明】
【技術分野】
【０００１】
この発明は、強酸性のドレンを中和して排水するドレン中和槽を有した潜熱回収型給湯機に関するものである。
【背景技術】
【０００２】
従来よりこの種のものでは、燃焼後の排ガスと潜熱熱交換器との熱交換により、露点以下に排ガスが温度低下することで発生するドレン水を、中和剤を充填したドレン中和槽内に流通させることで中和して排水するものであった。
【先行技術文献】
【特許文献】
【０００３】
【特許文献１】特開２００１−２７２１１０号公報
【発明の概要】
【発明が解決しようとする課題】
【０００４】
ところでこの従来のものでは、ドレン中和槽が流入口を介して排気経路と連通状態であるので、ドレンが溜まるまでは流入口からドレン中和槽に流入した排ガスが、そのまま排水管から抜け出て器具内や屋外に放出され、臭気の原因になると言う課題を有するものであった。
【課題を解決するための手段】
【０００５】
この発明は上記課題を解決する為に、特にその構成を、給湯管に備えられたフローセンサが流水を検知することで、燃焼を開始する燃焼ハーナと、この燃焼バーナの燃焼と共に駆動して燃焼空気の給気及び排ガスの排気を行う燃焼ファンと、この排ガスと熱交換し潜熱回収を行う二次熱交換器と、この二次熱交換器の熱交換で発生するドレンを収集して中和後に排水管より排水するドレン中和槽とを備えたものに於いて、前記ドレン中和槽に接続した排水管には、燃焼ファンの送風圧を受けて排水管を閉成する圧力弁を備えたものである。
【発明の効果】
【０００６】
以上のようにこの発明によれば、燃焼バーナが燃焼していない時は排水管を圧力弁で開成して、中和したドレンを排出しておき、燃焼が開始されると駆動する燃焼ファンの送風圧を受けて圧力弁が排水管を閉成するので、燃焼開始と同時に閉成されて排ガスの発生に遅れることなく排水管を閉成して、排ガスのドレン中和槽を介しての放出を確実に防止し、臭気の発生を阻止するものであり、更に直接排ガスを発生させる燃焼ファンの送風力の有無によって、機械的に開閉されるので、誤動作がなく駆動力も必要なく、安心、安全で安価に提供出来るものである。
【図面の簡単な説明】
【０００７】
【図１】この発明の一実施形態の概略構成図。
【図２】同排気経路の説明図。
【図３】同要部電気回路のブロック図。
【図４】同ドレン中和槽の説明図。
【図５】同圧力弁の説明図。
【発明を実施するための形態】
【０００８】
次にこの発明の一実施形態を図面に基づいて説明する。
１は給湯機本体で、内方には上端にガンタイプ式の燃焼バーナ２と燃焼ファン３を下向きに取り付けた燃焼室４が備えられており、更にこの燃焼室４内には燃焼バーナ２の排ガスの顕熱回収用の一次熱交換器５が備えられている。
【０００９】
６は燃焼室４の底部を一端に連通する連絡路で、他端には上部に排気口７を有する排気経路８が連通し、燃焼室４からの排ガスを連絡路６でＵターンさせて排気経路８を介して排気口７から燃焼ファン３の送風力で排出するものである。
【００１０】
前記排気経路８は、第１仕切板９によって下方の連絡路６から上方に向かう第１流路１０と、第２仕切板１１で仕切られ第１流路１０とは上方のみで連通し、上方から下方への排ガスが流れる第２流路１２と、該第２流路１２とは下方のみで連通しており、下方から上方の排気口７に向かう排ガスが流れる第３流路１３とで、厚さ方向に三層状の蛇行路を形成している。
【００１１】
１４は第２流路１２内に備えられた排ガスの潜熱回収用の二次熱交換器で、一次熱交換器５及び入水管１５と接続しており、給水が入水し熱交換して温度上昇された温水を一次熱交換器５に流し、更に昇温させて一次熱交換器５に連通した給湯管１６から給湯として出湯するものである。
【００１２】
１７はマイコンから構成された給湯制御回路で、台所等に備えられたリモコン１８と接続され、このリモコン１８により設定される給湯設定温度に給湯温度がなるように、給湯管１６に備えた給湯サーミスタ１９の検知温度に応じて燃焼バーナ２の燃焼量を制御するものであり、又給湯制御回路１７は、給湯管１６に同じく備えられたフローセンサ２０が流水を検知することで、燃焼ファン３の駆動開始と共に燃焼バーナ２に燃焼を開始させるものである。
【００１３】
２１は排気経路８の下部に備えられたドレン中和槽で、二次熱交換器１４による潜熱回収で発生する強酸性のドレン水を収集し、中和して排水管２２を介して排水させるもので、排気経路８の底板２３は傾斜しており、その最低部分にはドレン中和槽２１と連通した捕集管２４が取り付けられている。
【００１４】
２５は前記排水管２２に備えられた圧力弁で、連絡路６に連通した風圧管２６を設け、燃焼時にはこの風圧管２６を介して燃焼ファン３の送風圧を、常時バネ２７で弁体２８を開弁側に押圧されているダンヤフラム２９に加えて該バネ２７に抗して膨らませることで閉弁し、排水管２２を閉成して燃焼バーナ２の燃焼で発生する排ガスが捕集管２４、ドレン中和槽２１、排水管２２を介して放出されるのを防止するもので、燃焼が終了して燃焼ファン３の駆動が停止すれば、風圧管２６を介しての送風圧もなくなるので、圧力弁２５も開成して排水管２２が開通し、燃焼中にドレン中和槽２１に溜まった中和済のドレンを排水するものである。
【００１５】
又前記ドレン中和槽２１は、予め酸化カルシウムから成る中和剤３０が充填されており、一側壁上部には捕集管２４と連通したドレン水の流入口３１を備えると共に、他側壁下部で前記流入口３１よりも低い位置にはドレン水の流出口３２を備え、更にこの流入口３１と流出口３２との間のドレン中和槽２１内には、端部の連通部３３を交互にした仕切板３４が上下方向に４枚備えられ、ドレンと中和剤３０との接触時間を長くして、中和が良好に行われるようにしているものである。
【００１６】
次にこの一実施形態の作動について説明する。
今適宜箇所の給湯栓（図示せず）が開栓されて給湯が開始されると、このお湯の流をフローセンサ２０が検知し給湯制御回路１７を介して燃焼ファン３が駆動し燃焼バーナ２が燃焼を開始し、この燃焼で発生した排ガスが燃焼室４から連絡路６でＵターンして排気経路８に流入し、排気経路８の第２流路１２で上方から下方に向かって流通することで、二次熱交換器１４内に流入して来る給水と熱交換し排気口７から排気されるものである。
【００１７】
この二次熱交換器１４で温度上昇した温水は、一次熱交換器５に流入しここで燃焼バーナ２の燃焼で発生した排ガスとの熱交換で更に加熱されて、給湯として給湯栓から出湯されるものであり、この時の燃焼バーナ２の燃焼量（火力）は、一次熱交換器５を出た給湯管１６に備えられた給湯サーミスタ１９で温水温度を検知し、この温度が使用者自身がリモコン１８で設定する給湯設定温度になるように調節されるものである。
【００１８】
次に排気経路８の第２流路１２で、二次熱交換器１４内を流通する給水と排ガスとの潜熱回収で発生するドレン水は、上方から下方への排ガスの流れによって、下方へ抑えられ飛散が防止されるものであり、そして傾斜した底板１８に沿って流れて捕集管２４からドレン中和槽２１内に流入し、各仕切板３４で仕切られた小室内に充填した中和剤３０と時間を掛けて接触することで、良好に中和するものである。
【００１９】
そしてこの時、ドレン中和槽２１の流出口３２に連通する排水管２２に備えられた圧力弁２５は、連絡路６に連通した風圧管２６を介して燃焼ファン３の送風圧がダイヤフラム２９に加えられることで、排水管２２が燃焼中は閉成されるので、排ガスが捕集管２４、ドレン中和槽２１、排水管２２を通り放出されるのを確実に防止して、排ガスの漏れによる臭気の発生を阻止するものであり、この間にドレン中和槽２１内にはドレンが貯留されて行くものである。
【００２０】
更に圧力弁２５は燃焼停止による燃焼ファン３の送風圧が無くなれば開成され、排水管２２を開成するものであり、これによってドレン中和槽２１内に貯留した中和されたドレンを排水管２２を介して排水路から一度に排水するものであり、これにより中和剤３０の消耗が少なく、内部に黴や藻などの異物が堆積しにくい。又電気ヒータなどを使用せずに凍結防止が可能である。
このように、圧力弁２５を使用することにより、駆動用の動力が不用で確実で安価であり、長期間の使用でも常に安心して使用出来るものである。
【符号の説明】
【００２１】
２  燃焼バーナ
３  燃焼ファン
１４  二次熱交換器
１６  給湯管
２０  フローセンサ
２１  ドレン中和槽
２２  排水管
２５  圧力弁
【図１】
2010169293.tif 000003
【図２】
2010169293.tif 000004
【図３】
2010169293.tif 000005
【図４】
2010169293.tif 000006
【図５】
2010169293.tif 000007